(57)【要約】【課題】幟の取り付けが容易であり、より高い宣伝効果を得ることができる小型の幟装置を提供する。【解決手段】宣伝内容が印刷されたシートを二つ折りにし、幟１０を形成する。幟１０の折り曲げ部の中心に形成された引掛孔１２に、支柱２１の上端部を挿通させる。支柱２１の上端から所定の距離離れた位置に配置され、支柱に垂直にかつ反対方向に突出する支持腕部２２ａ、２２ｂに、幟１０を被せる。そして、支柱２１を長軸周りに回転させるモータ３２を駆動し、支柱２１と支持腕部２２ａ、２２ｂの回転に伴って幟１０を回転させる。【選択図】図２
0003146834.tif 000002
【実用新案登録請求の範囲】
【請求項１】
立設された支柱と、
前記支柱の上端部に配置され、該支柱に垂直にかつ反対方向に突出する２つの腕部と、
前記支柱を、その長軸周りに回転させるモータと、
シートが二つ折りされて構成され、折り曲げ部が前記２つの腕部に被せられて下垂し、前記モータによる前記支柱及び腕部の回転に伴って回転する幟と、から構成されることを特徴とする幟装置。
【請求項２】
前記２つの腕部は、前記支柱の上端から所定の距離離れた位置に配置され、ほぼ等しい長さを有し、  
前記シートの折り曲げ部分の中央部には、孔が形成されており、
前記幟が前記腕部に被せられた状態において、前記支柱の上端部が前記シートの孔に挿通する、
ことを特徴とする請求項１に記載の幟装置。
【考案の詳細な説明】
【技術分野】
【０００１】
本考案は、陳列台等の上に設置可能な小型の幟装置に関する。
【背景技術】
【０００２】
従来、陳列台等の上に設置される小型の幟装置としては、支柱と、支柱の上端部から支柱と垂直方向に固定された腕部と、上縁と一方の側縁を腕部と支柱に取り付けられた幟と、から構成されているものがある。このような幟装置の例として、特許文献１に記載のものがある。
【０００３】
しかし、このような幟装置の幟は片面印刷のため、表側（印刷面）から幟を見た人でなければ、その宣伝広告の内容を認識することができない。そのため、幟装置の設置面積に対して、十分な宣伝広告面積を得ることができない。
【０００４】
また、従来の幟装置として、前記幟装置の腕部が、支柱の上端部から支柱と垂直方向に複数固定されているものがある。このような幟装置の例として、特許文献２に記載のものがある。
【０００５】
しかし、このような幟装置は、腕部の数だけ広い宣伝広告面積を持つが、幟を支柱及び腕部に取り付ける作業も増えてしまう。
【０００６】
【特許文献１】特開２００４−２２６４４２号公報
【特許文献２】特開２００１−２６５２７１号公報
【考案の開示】
【考案が解決しようとする課題】
【０００７】
本考案は、幟の取り付けが容易であり、より高い宣伝効果を得ることができる小型の幟装置を提供することを目的とする。
【課題を解決するための手段】
【０００８】
上記目的を達成するため、本考案の第１の観点に係る幟装置は、立設された支柱と、前記支柱の上端部に配置され、該支柱に垂直にかつ反対方向に突出する２つの腕部と、前記支柱を、その長軸周りに回転させるモータと、シートが二つ折りされて構成され、折り曲げ部が前記２つの腕部に被せられて下垂し、前記モータによる前記支柱及び腕部の回転に伴って回転する幟と、から構成されることを特徴とする。
【０００９】
また、前記２つの腕部は、前記支柱の上端から所定の距離離れた位置に配置され、ほぼ等しい長さを有し、前記シートの折り曲げ部分の中央部には、孔が形成されており、前記幟が前記腕部に被せられた状態において、前記支柱の上端部が前記シートの孔に挿通してもよい。
【考案の効果】
【００１０】
本考案によれば、幟の取り付けが容易であり、かつより高い宣伝効果を得ることができる小型の幟装置を提供できる。
【考案を実施するための最良の形態】
【００１１】
以下、本考案の実施形態に係る幟装置を図１及び図２を参照して説明する。
【００１２】
図１に示したように、本考案の実施形態に係る幟装置１は、幟１０と、幟１０を支持する支持部２０と、支持台３０とから構成されている。
【００１３】
幟１０は、例えば、四方形のポリエステル製の布地から形成され、商品、あるいは店舗等の宣伝のための所望のテキストや、模様等が色彩を伴って印刷されている。幟１０は、後述する支持腕部２２ａ、２２ｂに被せられる際に、印刷面が外側となるように図１の折り線１１に沿って二つ折りされる。そのため、幟１０に印刷されている宣伝内容は、幟１０が支持腕部２２ａ、２２ｂに被せられる際に、正しい位置となるように印刷されている。幟１０に印刷されている宣伝内容は、二つ折りにした際に外側となる二つの面で、異なる内容でも同じ内容でもよい。また、幟１０の中心部には、後述する引掛部２３が挿通するための引掛孔１２が形成されている。
【００１４】
支持部２０は、後述するモータ３２の回転軸３４と下端部で嵌合する支柱２１と、支柱２１の上端から所定の距離離れた位置に配置された２つの支持腕部２２ａ、２２ｂとから構成されている。
【００１５】
支柱２１は、例えば、円柱形のプラスチック材から構成されている。支柱２１は、上端部に、幟１０が支持腕部２２ａ、２２ｂに被せられた状態で引掛孔１２を挿通する引掛部２３を有する。引掛部２３が引掛孔１２を挿通することで、幟１０は支持腕部２２ａ、２２ｂからずれ落ちない。支柱２１は、後述する台ケース３１上面の孔３５を貫通してモータ３２の回転軸３４と嵌合するための凹部２４を有する。支柱２１は、おおよそ２００ｍｍの高さを有する。
【００１６】
支持腕部２２ａ、２２ｂは、例えば、円柱形のプラスチック材から構成されている。支持腕部２２ａ、２２ｂは、支柱２１に垂直にかつ一直線上に配置される。支持腕部２２ａ、２２ｂは、ほぼ等しい長さであり、おおよそ１００ｍｍの長さを有する。
【００１７】
支持台３０は、台ケース３１と、台ケース３１の内部に取り付けられているモータ３２と、台ケース３１の外側に取り付けられた太陽電池３３から構成されている。
【００１８】
台ケース３１は、例えば、ＡＢＳ（Acrylonitrile Butadiene Styrene）樹脂等のプラスチックから形成されている。台ケース３１は、内部にモータ３２を設置するための空間を有する。また、台ケース３１の上面中央には、モータ３２の回転軸３４と支柱２１が嵌合するための孔３５が開いている。
【００１９】
モータ３２は、回転軸３４が鉛直方向を向くように、台ケース３１の内部に取り付けられている。モータ３２は、台ケース３１の外側に取り付けられた太陽電池３３により駆動する。
【００２０】
太陽電池３３は、台ケース３１の外側で、幟１０及び支持部２０の回転を妨げずかつモータ３２を駆動させるために十分な光量を得ることができる位置に配置されている。太陽電池３３は、太陽や蛍光灯等の光エネルギーを電気エネルギーに変換し、図示しない導線を介してモータ３２に電気エネルギーを供給する。
【００２１】
図２は、図１に示した幟１０、支持部２０、及び支持台３０が組み立てられた様子を示した斜視図で、本実施形態に係る幟装置１を示している。
【００２２】
図２に示すように、支持部２０は、支柱２１の下端が回転軸３４に取り付けられることで、支持台３０に対し垂直方向に立設している。また、引掛部２３が引掛孔１２を挿通した状態で、幟１０は、二つ折りされ、支持腕部２２ａ、２２ｂに被せられている。
【００２３】
このように構成された幟装置１を、太陽電池３３がモータ３２を駆動させるために十分な光量を得ることができる位置に設置する。すると、モータ３２は、太陽電池３３から供給された電気エネルギーにより駆動する。幟１０と支持部２０は、モータ３２の回転軸３４の回転に伴って、支柱２１の周方向に回転する。幟１０と支持部２０は、おおよそ１０秒で１回転する。
【００２４】
以上のように、本考案の実施形態に係る幟装置１を用いることで、次に示すような効果を奏する。
（１）幟１０を回転させることで、人々の視線を引き付け、より高い宣伝効果を発揮させることが可能となる。これは、人は動いているものを無意識に注視するという性質を利用したものである。
（２）また、幟１０を回転させることで、一方向から幟１０を見続けた場合にも、所定の時間をかけることにより、幟１０に印刷された宣伝内容を両側とも確認することができる。これにより、幟装置１と等しい設置面積を必要とし、１つの腕部を有する従来の幟装置と比べ、おおよそ４倍の広告面積を有する。そのため、設置スペースを広く占有することなく、効率のよい宣伝が可能となる。
（３）また、幟１０を二つ折りし、引掛部２３を引掛孔１２に挿通させ、幟１０を支持腕部２２ａ、２２ｂに被せるだけで、幟１０を支持部２０に取り付けることができる。そのため、複数の腕部を有する従来の幟装置と比べて、幟の取り付けが容易である。
（４）また、宣伝内容を変えるためには、幟１０を差し替えることだけで可能である。そのため、装置一式を交換していた従来の小型の幟装置と比べて、広告コストを低く抑えることができる。
（５）さらに、モータ３２の駆動源として、太陽電池３３を利用することで、電池交換のコストや手間をかけず、半永久的に動作させることが可能である。
【００２５】
本考案は上述した実施形態に限られず、様々な変形及び応用が可能である。上述した幟１０は、四方形に形成されていると説明したが、例えば、下縁部を半円状や三角形状に形成してもよい。
また、上述した幟装置１は、引掛部２３が幟１０の折り曲げ部の中心に形成された引掛孔１２を挿通することで、幟１０が支持腕部２２ａ、２２ｂからずれ落ちないと説明したが、例えば、クリップで幟１０と支持腕部２２ａ、２２ｂを挟持してもよい。また、幟１０の折り曲げ部から所定の距離に位置する一方の面の側縁部と他方の面の側縁部を、布地等から形成された連結部材を介して繋げてもよい。このような他の幟の保持方法を用いる場合には、引掛部２３はなくてもよい。
また、上述した幟装置１は、支柱２１の凹部２４とモータ３２の回転軸３４を嵌合させると説明したが、支柱２１へモータ３２の動力を伝える構成は、支柱２１が周方向に回転可能であれば、特に制限されるものではない。
また、上述した幟装置１は、モータ３２の動力源として太陽電池３３を利用したが、例えば、乾電池を利用してもよい。この場合、台ケース３１は、その内部に乾電池を収納するための乾電池ケースを備えてもよい。
【図面の簡単な説明】
【００２６】
【図１】本考案の実施形態に係る幟装置を示す分解図である。
【図２】本考案の実施形態に係る幟装置を示す斜視図である。
【符号の説明】
【００２７】
１              幟装置
１０            幟
１１            折り線
１２            引掛孔
２０            支持部
２１            支柱
２２ａ、２２ｂ  支持腕部
２３            引掛部
２４            凹部
３０            支持台
３１            台ケース
３２            モータ
３３            太陽電池
３４            回転軸
３５            孔
【図１】
0003146834.tif 000003
【図２】
0003146834.tif 000004